(57)【要約】【課題】本発明は、発光ダイオードからの熱を放熱しやすくするとともに、発光ダイオードが配設される基板を適正に位置決めすることができる照明器具を提供することを目的とする。【解決手段】請求項１の発明は、前面側に発光ダイオードが実装され、背面側に発光ダイオード駆動回路が配設されてなる基板１と；前記基板の背面側に当接する第１の基板支持部、この基板支持部に形成された第１の係止部および造営物に対向する取付面を有し、造営物に取付けられる金属製取付け部材２と；前記基板の前面側に当接する第２の基板支持部を有し、前記発光ダイオードから放射される光を制御する制光体３と；第２の係止部、前記制光体および基板を配置する収納部ならびに前記制光体の周囲に当接する保持部を有してなり、前記第２の係止部が前記第１の係止部と係合することにより前記基板が金属製取付け部材と制光体によって挟持するカバー体４と；を具備していることを特徴とする。【選択図】図３
2005071711.tif 000002
【特許請求の範囲】
【請求項１】
前面側に発光ダイオードが実装され、背面側に発光ダイオード駆動回路が配設されてなる基板と；
前記基板の背面側に当接する第１の基板支持部、この基板支持部に形成された第１の係止部および造営物に対向する取付面を有し、造営物に取付けられる金属製取付け部材と；
前記基板の前面側に当接する第２の基板支持部を有し、前記発光ダイオードから放射される光を制御する制光体と；
第２の係止部、前記制光体および基板を配置する収納部ならびに前記制光体の周囲に当接する保持部を有してなり、前記第２の係止部が前記第１の係止部と係合することにより前記基板が金属製取付け部材と制光体によって挟持するカバー体と；
を具備していることを特徴とする照明器具。
【請求項２】
前記カバー体に形成された収納部の外側に形成された空間部を有し、前記金属製取付け部材の取付面が空間部に位置していることを特徴とする照明器具。
【発明の詳細な説明】
【技術分野】
【０００１】
本発明は、発光ダイオードを使用した照明器具に関する。
【背景技術】
【０００２】
従来のＬＥＤ照明装置としては、図５に示すように、本体１１１は、例えば絶縁性の樹脂成形により、円状の底部１１１ａと、この外周縁から下方に延設された円筒部１１１ｂとを一体に有する形状に形成されている。底部１１１ａには、天井板の孔に通された電源接続線Ｗ１を介してＬＥＤ電源供給部の出力に電気的に接続される接続部１１１ｃが下面中央に設けられているとともに、当該本体１１１を天井板の表面にねじ止め固定するための取付孔１１１ｄが一対接続部１１１ｃの両側に穿設されている。他方、円筒部１１１ｂには、ねじ溝１１１ｅが外周壁に形成されている。
【０００３】
器具外郭１１２は、例えば絶縁性の樹脂成形により、円状の底部１１２ａと、この外周縁から上方に延設された円筒部１１２ｂとを一体に有する形状に形成されている。底部１１２ａには、円状の孔１１２ｃが中央に穿設されている一方、円筒部１１２ｂには、本体１１１のねじ溝１１１ｅと嵌合するねじ溝１１２ｄが内周壁に形成されている。
【０００４】
ＬＥＤユニット１１３は、電子部品が実装され本体１１１内に着脱自在に収納される円状の実装基板であり、本体１１１の接続部にコネクタ接続される接続部をＬＥＤユニット１１３の上面中央に備えている。
【０００５】
レンズ体１１４は、例えば絶縁性の樹脂成形により、円状の底部１１４ａと、この外周縁から上方に延設された円筒部１１４ｂとを一体に有する形状に形成されている。底部１１４ａには、ＬＥＤユニット１１３の一対の孔１１３ｄに嵌入する一対のピン１１４ｃが上方に立設されているほか、ＬＥＤユニット１１３の各ＬＥＤの前方に、ＬＥＤの光を制御するための各レンズ１１４ｄが配置されている。なお、レンズ体１１４も本体１１１内に着脱自在に収納されるようになっている。
【０００６】
また、ＬＥＤ照明装置１１の天井板への取り付けについては、まず、本体１１１を各取付孔１１１ｄの位置でねじ止めして本体１１１を天井板の表面に固定する。この後、ＬＥＤユニット１１３の各孔１１３ｄにレンズ体１１４の各ピン１１４ｃを挿入して、ＬＥＤユニット１１３をレンズ体１１４に装着する。そして、ＬＥＤユニット１１３の接続部１１３ａを本体１１１の接続部にコネクタ接続して、ＬＥＤユニット１１３およびレンズ体１１４を本体１１１に収納する。この後、本体１１１のねじ溝１１１ｅに器具外郭１１２のねじ溝１１２ｄをねじ合わせて、器具外郭１１２を本体１１１に取り付けることができる。（例えば、特許文献１参照）。
【特許文献１】特開２００２−３０４９０４号公報（第５頁、図１）。
【発明の開示】
【発明が解決しようとする課題】
【０００７】
しかしながら、ＬＥＤユニット１１３およびレンズ体１１４を本体１１１に収納した場合には、ＬＥＤユニット１１３からの熱が本体１１１内にこもってしまいＬＥＤユニット１１３を構成する基板や樹脂成形されている本体１１１が熱により変形を生じかねない。また、ＬＥＤユニット１１３を構成するＬＥＤから放射される光は指向性があるため、基板が熱により変形したり、基板を収納している本体１１１が変形したりすると、少々の変形でもＬＥＤの指向性が高い分、光の照射位置や照射範囲、配光特性等が変化するおそれがある。
【０００８】
本発明は、発光ダイオードからの熱を放熱しやすくするとともに、発光ダイオードが配設される基板を適正に位置決めすることができる照明器具を提供することを目的とする。
【課題を解決するための手段】
【０００９】
請求項１記載の発明は、前面側に発光ダイオードが実装され、背面側に発光ダイオード駆動回路が配設されてなる基板と；前記基板の背面側に当接する第１の基板支持部、この基板支持部に形成された第１の係止部および造営物に対向する取付面を有し、造営物に取付けられる金属製取付け部材と；前記基板の前面側に当接する第２の基板支持部を有し、前記発光ダイオードから放射される光を制御する制光体と；第２の係止部、前記制光体および基板を配置する収納部ならびに前記制光体の周囲に当接する保持部を有してなり、前記第２の係止部が前記第１の係止部と係合することにより前記基板が金属製取付け部材と制光体によって挟持するカバー体と；を具備していることを特徴とする。
【００１０】
なお、制光体に設けられる第２の基板支持部は、制光体と一体に形成されていてもよいし、別体であってもよい。
【００１１】
請求項２記載の発明は、請求項１記載の照明器具において、前記カバー体に形成された収納部の外側に形成された空間部を有し、前記金属製取付け部材の取付面が空間部に位置していることを特徴とする。
【００１２】
なお、取付面の全てが空間部に位置する必要はなく、一部であってもよい。すなわち、発光ダイオードが実装されている基板の熱を空間部に放熱させることができればよい。
【発明の効果】
【００１３】
請求項１の発明によれば、発光ダイオードの熱は実装されている基板を伝導し、基板に当接している金属製取付け部材の第１の基板支持部から造営物に取付けられている取付面を介して造営物に放熱されるとともに、基板は第１および第２の基板支持部によって挟持されているので通常使用における熱では変形等することがない。したがって、発光ダイオードを実装している基板は適正に支持され、発光ダイオードからの光の照射範囲や配光特性等が変化するおそれがなくなるものである。
【００１４】
請求項２の発明によれば、金属製取付け部材によって発光ダイオードが実装されている基板の熱を空間部に放熱させ、カバー体の収納部の空間部の温度差がなくなるようにしているので、基板を収納しているカバー体に熱による変形がしにくくなり、発光ダイオードを実装している基板は適正に支持される。したがって、発光ダイオードからの光の照射範囲や配光特性等が変化するおそれがなくなるものである。
【発明を実施するための最良の形態】
【００１５】
本発明の一実施の形態を示す照明器具について、図１〜図４を参照して説明する。図１は、本発明の一実施の形態に係る照明器具の正面図、図２は、同じく背面図、図３は、同じく図１におけるＸ-Ｘ断面図、図４は、同じく金属製取付け部材の正面図である。
【００１６】
図１ないし４に示す照明器具は、基板１、金属製取付け部材２、制光体３およびカバー体４で構成されている。基板１であるプリント配線板の前面側には、発光ダイオード１ａが実装され、背面側には発光ダイオード駆動回路１ｂが配設されている。
【００１７】
また、金属製取付け部材２は、外形ドーナツ形で熱伝導性のある金属板で形成されている。金属製取付け部材２は、基板１の背面側に当接する第１の基板支持部２ａである立上り片、この基板支持部２ａに形成された第１の係止部２ｂである凸部および造営物（図示しない。）に対向する取付面２ｃで構成されている。そして、この金属製取付け部材２は、天井または壁等の造営物に取付面２ｃを接触させてネジ等により固定される。
【００１８】
制光体３は、基板１の前面側に当接する第２の基板支持部３ａを有し、発光ダイオード１ａから放射される光を制御する。制光体３は、例えば、プリズム、レンズまたは光拡散体等である。
【００１９】
カバー体４は、樹脂で成形されており、第２の係止部４ａ、制光体３および基板１を配置する収納部４ｂならびに制光体３の周囲に当接する保持部４ｃを有している。また、カバー体４に形成された収納部４ｂの外側に形成された空間部４ｄを有し、前記金属製取付け部材の取付面２ｃが空間部４ｄに位置するように構成する。そして、第２の係止部４ａが前記第１の係止部２ｂと係合することにより基板１が金属製取付け部材２と制光体３によって挟持される。
【００２０】
第２の係止部４ａは、収納部４ｂを構成する収納内壁面に一周断面Ｖ字状に形成された周溝４ｂ１とこの溝に直交する方向に形成された縦溝４ｂ２で構成されている。したがって、カバー体４を金属製取付け部材２に固定するには、基板支持部２ａに形成された凸部２ｂを縦溝４ｂ２に挿入し周溝４ｂ１に達するまでカバー体４を金属製取付け部材２に押し込む。周溝４ｂ１に達したら、カバー体を回転させることによって凸部２ｂが周溝４ｂ１に入るようにして、金属製取付け部材２に固定する。
【００２１】
本実施の形態の照明器具によれば、発光ダイオード１ａの熱は、実装されている基板１を伝導し、基板１に当接している金属製取付け部材２の第１の基板支持部１ａから造営物に取付けられている取付面２ａを介して造営物に放熱されるとともに、基板１は第１および第２の基板支持部２ａ，３ａによって挟持されているので通常使用における熱では変形等することがない。
【００２２】
また、金属製取付け部材２によって発光ダイオード１ａが実装されている基板１の熱を空間部４ｄに放熱させ、カバー体４の収納部４ｂと空間部４ｄの温度差がなくなるようにしている。
【００２３】
したがって、発光ダイオード１ａを実装している基板１は適正に支持され、基板変形や位置の変化がなく発光ダイオードからの光の照射範囲や配光特性等が変化するおそれがなくなるものである。
【図面の簡単な説明】
【００２４】
【図１】本発明の一実施の形態に係る照明器具の正面図。
【図２】同じく、背面図。
【図３】同じく、図１におけるＸ-Ｘ断面図。
【図４】同じく、金属製取付け部材の正面図。
【図５】従来のＬＥＤ照明装置の分解斜視図。
【符号の説明】
【００２５】
１…基板、２…金属製取付け部材、３…制光体、４…カバー体。
【図１】
2005071711.tif 000003
【図２】
2005071711.tif 000004
【図３】
2005071711.tif 000005
【図４】
2005071711.tif 000006
【図５】
2005071711.tif 000007